(57)【特許請求の範囲】
【請求項１】
内燃機関からの排気流路に介装され、上流側からの排気を下流側に導く排気管と、前記排気と熱交換媒体との間で熱交換を行う排気熱回収部と、前記排気熱回収部を通る前記排気の流れに切り換える切換バルブとを備えた排気熱回収装置において、
前記排気管の外側を覆う筒状シェルを備えると共に、前記排気管と前記筒状シェルとの間に前記排気熱回収部を設け、
また、前記排気熱回収部には、熱交換媒体流路が形成されたジャケット素子を隙間をあけて複数積層した積層体を設けると共に、前記排気管外周と前記積層体との間及び前記筒状シェル内周と前記積層体との間に隙間を設け、前記積層体は前記ジャケット素子の一端と前記ジャケット素子の他端とを接続して前記各ジャケット素子毎の前記熱交換媒体流路を直列に接続し、
前記排気管を通った前記排気が前記排気管外周と前記積層体との間の前記隙間を通り前記ジャケット素子の間の前記隙間を通って前記筒状シェル内周と前記積層体との間の前記隙間から下流に流出し、
前記ジャケット素子は、扁平で、かつ、円弧状に形成され、
さらに、リング状の前記熱交換媒体流路が形成された端素子を備えると共に、略半円弧状に形成された複数の前記ジャケット素子を積層して２組のジャケット素子組立体を備え、
前記端素子上に２組の前記ジャケット素子組立体を対向して積層し、
２組の前記ジャケット素子組立体の前記各熱交換媒体流路を前記端素子の前記熱交換媒体流路を介して直列に接続したことを特徴とする排気熱回収装置。
【請求項２】
前記ジャケット素子は１組の半体を突き合わせて内部に前記熱交換媒体流路を形成すると共に、一方の前記半体に流入口を形成すると共に、他方の前記半体に流出口を前記流入口に対して反対側に形成したことを特徴とする請求項１に記載の排気熱回収装置。
【請求項３】
前記切換バルブは弁体をドーム状に形成して前記排気管から流出する前記排気を前記弁体に当てて前記排気管の外周と前記積層体との間の前記隙間に導くことを特徴とする請求項１又は２に記載の排気熱回収装置。
【発明の詳細な説明】
【技術分野】
【０００１】
本発明は、内燃機関からの排気流路に介装され、排気と熱交換媒体との間で熱交換を行い排気熱を回収する排気熱回収装置に関する。
【背景技術】
【０００２】
従来より、特許文献１にあるように、排気流路に介装され、内燃機関からの排気と内燃機関の冷却水等の熱交換媒体との間で熱交換を行い排気熱を回収する装置が知られている。この装置では、円形ドーナッツ状の複数の扁平チューブを積層してチューブ積層体を形成し、排気管をチューブ積層体内に挿入すると共に、チューブ積層体の外側に筒状ケースを配置している。また、排気管に排気管からの排気の流出を遮断する遮断弁を設け、内燃機関の暖機時に遮断弁を閉弁して、排気を筒状ケースとチューブ積層体との間を通し、次に、各扁平チューブの間を通して反対側の筒状ケースとチューブ積層体との間から下流側に排気を排出している。更に、各扁平チューブ内の流路を並列に接続して、この流路に熱交換媒体を流し、排気と熱交換媒体との間で熱交換を行うようにしている。
【先行技術文献】
【特許文献】
【０００３】
【特許文献１】特開２００９−１１４９９５号公報
【発明の概要】
【発明が解決しようとする課題】
【０００４】
しかしながら、こうした従来のものでは、各扁平チューブ内の流路が並列に接続されているので、各流路毎の抵抗が異なることから、熱交換媒体がいずれかの流路に偏って流れる場合があり、一部の並列な短い流路に多くの熱交換媒体が流れるので、十分な熱交換が行われない場合があるという問題があった。また、排気がまず筒状ケースとチューブ積層体との間を通ってから、各扁平チューブの間に流れるので、高温の排気から筒状ケースを介して大気中に放熱されて、熱交換媒体との熱交換前に排気の温度が低下してしまい、熱量回収ロスが発生してしまうという問題があった。
【０００５】
本発明の課題は、排気熱の回収効率の向上を図った排気熱回収装置を提供することにある。
【課題を解決するための手段】
【０００６】
かかる課題を達成すべく、本発明は課題を解決するため次の手段を取った。即ち、
内燃機関からの排気流路に介装され、上流側からの排気を下流側に導く排気管と、前記排気と熱交換媒体との間で熱交換を行う排気熱回収部と、前記排気熱回収部を通る前記排気の流れに切り換える切換バルブとを備えた排気熱回収装置において、
前記排気管の外側を覆う筒状シェルを備えると共に、前記排気管と前記筒状シェルとの間に前記排気熱回収部を設け、
また、前記排気熱回収部には、熱交換媒体流路が形成されたジャケット素子を隙間をあけて複数積層した積層体を設けると共に、前記排気管外周と前記積層体との間及び前記筒状シェル内周と前記積層体との間に隙間を設け、前記積層体は前記ジャケット素子の一端と前記ジャケット素子の他端とを接続して前記各ジャケット素子毎の前記熱交換媒体流路を直列に接続し、
前記排気管を通った前記排気が前記排気管外周と前記積層体との間の前記隙間を通り前記ジャケット素子の間の前記隙間を通って前記筒状シェル内周と前記積層体との間の前記隙間から下流に流出することを特徴とする排気熱回収装置がそれである。
【０００７】
前記ジャケット素子は扁平で、かつ、円弧状に形成された構成でもよい。その際、リング状の前記熱交換媒体流路が形成された端素子を備え、また、略半円弧状に形成された複数の前記ジャケット素子を積層して２組のジャケット素子組立体を備え、前記端素子上に２組の前記ジャケット素子組立体を対向して積層し、２組の前記ジャケット素子組立体の前記各熱交換媒体流路を前記端素子の前記熱交換媒体流路を介して直列に接続した構成としてもよい。また、前記ジャケット素子は１組の半体を突き合わせて内部に前記熱交換媒体流路を形成すると共に、一方の前記半体に流入口を形成すると共に、他方の前記半体に流出口を前記流入口に対して反対側に形成した構成としてもよい。更に、前記切換バルブは弁体をドーム状に形成して前記排気管から流出する前記排気を前記弁体に当てて前記排気管の外周と前記積層体との間の前記隙間に導く構成としてもよい。
【発明の効果】
【０００８】
本発明の排気熱回収装置は、
複数のジャケット素子の熱交換媒体流路が直列に接続されているので、熱交換媒体は熱交換媒体流路の長い全流路を流れるので、各ジャケット素子の熱交換媒体流路を通る毎に排気との間で熱交換が行われ、十分な排気熱の回収が行われ、熱交換媒体の温度が短時間で上昇し、排気熱の回収効率が向上するという効果を奏する。また、排気管からの高温の排気が排気管の外周と積層体との間の隙間に流入するので、排気熱が大気中に放熱されるのを抑制でき、回収する排気熱の熱量回収ロスを低減できるので、この点からも、排気熱の回収効率が向上するという効果を奏する。
【０００９】
また、扁平な複数のジャケット素子を積層した積層体とすることにより、長い熱交換媒体流路を形成しても、装置をコンパクトにできる。しかも、熱交換媒体流路を形成した端素子に２組のジャケット素子組立体を積層することにより、更に、長い熱交換媒体流路を形成しても、装置をコンパクトにできる。
【図面の簡単な説明】
【００１０】
【図１】本発明の一実施形態としての排気熱回収装置の斜視図である。
【図２】本実施形態の排気熱回収装置の拡大断面図である。
【図３】本実施形態の積層体の拡大斜視図である。
【図４】本実施形態の積層体の拡大側面図である。
【図５】本実施形態の積層体の分解斜視図でる。
【図６】本実施形態の積層体の熱交換媒体流路に沿った拡大断面図である。
【発明を実施するための形態】
【００１１】
以下本発明を実施するための形態を図面に基づいて詳細に説明する。図１、図２に示すように、１は排気管で、排気管１の上流側は内燃機関からの排気流路に接続されており、内燃機関からの排気を上流側から下流側に導くように構成されている。排気管１の外側には、排気管１を覆う筒状シェル２が排気管１の外周と筒状シェル２の内周との間に間隔をあけて設けられており、本実施形態では、排気管１と筒状シェル２とは同軸上に設けられている。
【００１２】
排気管１と筒状シェル２との間には排気と熱交換媒体との間で熱交換を行う排気熱回収部４が設けられている。排気熱回収部４には、図３、図４に示すように、第１，第２ジャケット素子６，８が複数積層された積層体１０が設けられている。各第１，第２ジャケット素子６，８は、図６に示すように、それぞれ１組の半体１２，１４，１６，１８を突き合わせて形成されている。
【００１３】
図５に示すように、第１ジャケット素子６の１組の半体１２，１４は、それぞれ円弧状に、本実施形態では略半円弧状に形成されている。一方の半体１２の全周にわたって半体１２の縁が他方の半体１４側に折り曲げられ、他方の半体１４の全周にわたって半体１４の縁が一方の半体１２側に折り曲げられて、それぞれ半体１２，１４は断面形状が「コ」字状に形成されている。
【００１４】
一方の半体１２に対して他方の半体１４は外形が少し小さく形成され、凹側を互いに向かい合わせにして一方の半体１２に他方の半体１４を挿入して、１組の半体１２，１４を突き合わせることにより、扁平な第１ジャケット素子６が形成され、第１ジャケット素子６の内部に密閉された熱交換媒体流路２０が形成される。
【００１５】
一方の半体１２の略円弧状の端には、バーリング加工等により流入口２２が形成されて、流入口２２が熱交換媒体流路２０に連通されている。他方の半体１４の略円弧状の端で、一方の半体１２の流入口２２と反対側に流出口２４が、バーリング加工等により形成されて、流出口２４が熱交換媒体流路２０に連通されている。１組の半体１２，１４にはそれぞれ外側に突出した複数の突部２６，２８が形成されている。
【００１６】
また、第２ジャケット素子８の１組の半体１６，１８は、第１ジャケット素子６の１組の半体１２，１４に形成されている流入口２２と流出口２４とが略円弧状端の反対側に設けられている点で異なるが、それ以外の形状は同じに形成されている。一方の半体１６には流入口３２が、他方の半体１８には流出口３４が形成されて、内部に形成される熱交換媒体流路２０に連通されている。
【００１７】
第１ジャケット素子６の流出口２４に第２ジャケット素子８の流入口３２を重ね合わせて、第１，第２ジャケット素子６，８を積層することにより、第１，第２ジャケット素子６，８の各熱交換媒体流路２０が直列に接続される。このように複数のジャケット素子６，８を積層することにより、熱交換媒体流路２０が直列に接続されるように構成されている。
【００１８】
本実施形態では、更に、第２ジャケット素子８の流出口３４に別の第１ジャケット素子６の流入口２２を重ね合わせて、別の第１ジャケット素子６を積層し、別の第１ジャケット素子８に更に別の第２ジャケット素子８を積層して、ジャケット素子組立体３６を構成している。
【００１９】
ジャケット素子組立体３６は少なくとも第１ジャケット素子６と第２ジャケット素子８とを１個ずつ備えていればよいが、第１ジャケット素子６が２個、第２ジャケット素子８が１個で構成してもよい。あるいは、第１ジャケット素子６が２個、第２ジャケット素子８が２個で構成してもよく、それ以上であってもよい。
【００２０】
第１，第２ジャケット素子６，８を積層した際、例えば、図４に示すように、隣接する第１ジャケット素子６の突部２６と第２ジャケット素子８の突部２８とが接触して、第１ジャケット素子６と第２ジャケット素子８との間に排気が流通する隙間３７が形成されるように構成されている。
【００２１】
本実施形態では、また、別の１組のジャケット素子組立体３８を備えており、この別のジャケット素子組立体３８は第１，第２ジャケット素子６，８を備え、前述したジャケット素子組立体３６と同じ構成で、ジャケット素子組立体３６を１８０度回転させた状態で向かい合わせに配置されている。但し、別の１組のジャケット素子組立体３８では、流入口２２と流出口２４とが一方のジャケット素子組立体３６と逆の関係になるので、別のジャケット素子組立体３８では、第１，第２ジャケット素子６，８への熱交換媒体の流入側を流入口２２とし、流出側を流出口２４とする。
【００２２】
積層体１０は、２個の第１ジャケット素子６を向かい合わせに配置した形状とほぼ同じ大きさのリング状の端素子４０を備え、端素子４０は１組の半体４２，４４を突き合わせて形成されており、一方の半体４２の全周にわたって半体４２の縁が他方の半体４４側に折り曲げられ、他方の半体４４の全周にわたって半体４４の縁が一方の半体４２側に折り曲げられて、それぞれ半体４２，４４は全周にわたって断面形状が「コ」字状に形成されている。
【００２３】
一方の半体４２に対して他方の半体４４は外形が少し小さく形成され、凹側を互いに向かい合わせにして一方の半体４２に他方の半体４４を挿入して、１組の半体４２，４４を突き合わせることにより、扁平な端素子４０が形成され、端素子４０の内部に密閉された熱交換媒体流路２０が形成される。
【００２４】
一方の半体４２には、バーリング加工等により流入口４６と流出口４８とが形成されて、流入口４６と流出口４８とが熱交換媒体流路２０に連通されている。流入口４６と流出口４８とは互いに１８０度反対側に形成されている。また、両半体４２，４４にはそれぞれ外側に突出した複数の突部５０，５２が形成されている。
【００２５】
端素子４０の流入口４６には、一方のジャケット素子組立体３６の流出口３４が重ね合わされ、端素子４０の片側半分に一方のジャケット素子組立体３６が積層される。端素子４０の流出口４８には、他方のジャケット素子組立体３８の流入口３２が重ね合わされて、端素子４０の残り半分に他方のジャケット素子組立体３８が積層される。その際、各突部２８，５０が接触して端素子４０とジャケット素子組立体３６，３８との間に隙間３７が形成される。
【００２６】
これにより、２組のジャケット素子組立体３６，３８が端素子４０上に向かい合わせに積層され、図３に示すように、リング状の積層体１０が形成される。端素子４０に２組のジャケット素子組立体３６，３８を積層することにより、一方のジャケット素子組立体３６の熱交換媒体流路２０と、他方のジャケット素子組立体３８の熱交換媒体流路２０とが、端素子４０の熱交換媒体流路２０を介して直列に接続される。
【００２７】
一方のジャケット素子組立体３６の流入口２２には流入管５４が挿着されると共に、他方のジャケット素子組立体３８の流出口２４には流出管５６が挿着される。ジャケット素子６，８の各半体１２，１４，１６，１８、端素子４０の各半体４２，４４、流入管５４、流出管５６等は、ろう付けや溶接等により一体に固定される。
【００２８】
図２に示すように、排気管１が積層体１０内に挿入されると共に、積層体１０の外側に筒状シェル２が挿着される。その際、排気管１の外周と積層体１０内周との間には、隙間５８が形成されるように構成されている。また、積層体１０の外周と筒状シェル２の内周との間にも隙間６０が形成されるように構成されている。
【００２９】
筒状シェル２の上流側端には、蓋部材６２が挿着されると共に、排気管１は蓋部材６２を貫通して設けられており、蓋部材６２により筒状シェル２の上流側が閉塞されている。排気管１の下流側には切換バルブ６４が設けられており、切換バルブ６４は端素子４０の端面に取り付けられたブラケット６６に取り付けられている。ブラケット６６は排気管１と同軸上に設けられた筒部６６ａを有し、筒部６６ａの先端に切換バルブ６４が取り付けられている。また、筒部６６ａを介して、排気管１内と排気管１の外周の隙間５８とが連通されている。
【００３０】
切換バルブ６４は揺動可能に支持された弁体６８を備え、弁体６８が弁座７０に着座した閉弁時には、排気管１からの排気が隙間５８に流れ、弁体６８が弁座７０から離間した開弁時には、排気管１からの排気を切換バルブ６４を通して下流側の排気流路に導くように構成されている。尚、弁体６８の揺動は、アクチュエータによって行うようにしてもよく、あるいは、弁体６８に作用する排気圧力により開弁するように構成してもよい。
【００３１】
弁体６８は下流側に突出したドーム状に形成されており、閉弁時に、排気管１から流出した排気が弁体６８に当たると、弁体６８が排気の流れ方向を反転させて排気を隙間５８に排気を導くように構成されている。隙間５８に流入した排気は隙間３７を通り、隙間６０から切換バルブ６４をバイパスして下流側の排気流路に流出するように構成されている。
【００３２】
次に、本実施形態の排気熱回収装置の作動について説明する。
内燃機関の暖機時に、弁体６８は弁座７０に着座されて切換バルブ６４は閉弁される。また、流入管５４に内燃機関の冷却水等の熱交換媒体が供給され、熱交換媒体は一方のジャケット素子組立体３６の熱交換媒体流路２０に流入する。熱交換媒体流路２０は複数のジャケット素子６，８の熱交換媒体流路２０が直列に接続されているので、積層された各ジャケット素子６，８の熱交換媒体流路２０を順に流れて、端素子４０の熱交換媒体流路２０に流入する。
【００３３】
熱交換媒体は端素子４０の熱交換媒体流路２０から他方のジャケット素子組立体３８の熱交換媒体流路２０に流入し、熱交換媒体流路２０は複数のジャケット素子６，８の熱交換媒体流路２０が直列に接続されているので、積層された各ジャケット素子６，８の熱交換媒体流路２０を順に流れて、流出管５６から外部に流出する。
【００３４】
閉弁された状態で、排気管１に内燃機関からの排気が流入すると、排気は弁体６８に当たって反転して、排気管１の外周と積層体１０内周との間の隙間５８に流入する。排気は隙間５８から各ジャケット素子６，８の間の隙間３７を通り、径方向外側に流れて、積層体１０の外周と筒状シェル２の内周との間の隙間６０に流入する。更に、隙間６０から筒状シェル２の内周に沿って下流側の排気流路に流出する。
【００３５】
排気が各ジャケット素子６，８の間の隙間３７を通る際には、各ジャケット素子６，８内の熱交換媒体流路２０を流れる熱交換媒体と排気との間で熱交換が行われ、熱交換媒体の温度が上昇し、排気の温度が低下する。
【００３６】
複数のジャケット素子６，８の熱交換媒体流路２０は直列に接続されているので、熱交換媒体は１本の熱交換媒体流路２０の長い全流路を流れる。よって、熱交換媒体は各ジャケット素子６，８の熱交換媒体流路２０を通る毎に排気との間で熱交換が行われ、十分な排気熱の回収が行われ、熱交換媒体の温度が短時間で上昇する。従って、内燃機関の暖機がより短時間で終了する。
【００３７】
また、複数のジャケット素子６，８を積層した積層体１０として構成したので、長い熱交換媒体流路２０を形成しても、装置をコンパクトにできる。
更に、排気管１からの高温の排気は、まず、排気管１の外周と積層体１０内周との間の隙間５８に流入するので、排気熱が大気中に放熱されるのを抑制でき、回収する排気熱の熱量回収ロスを低減できる。
【００３８】
切換バルブ６４の開弁時には、排気は排気管１から切換バルブ６４を通って下流側の排気流路に排出される。その際、排気管１の外周と積層体１０内周との間に隙間５８が形成されているので、排気熱が熱交換媒体流路２０の熱交換媒体に伝わるのを抑制でき、開弁時に熱交換媒体の過度な温度上昇を抑制できる。
【００３９】
以上本発明はこの様な実施形態に何等限定されるものではなく、本発明の要旨を逸脱しない範囲において種々なる態様で実施し得る。
【符号の説明】
【００４０】
１…排気管    ２…筒状シェル
４…排気熱回収部    ６，８…ジャケット素子
１０…積層体    ２０…熱交換媒体流路
２２，３２，４６…流入口    ２４，３４，４８…流出口
３６，３８…ジャケット素子組立体
３７，５８，６０…隙間    ４０…端素子
５４…流入管    ５６…流出管
６２…蓋部材    ６４…切換バルブ
６６…ブラケット    ６８…弁体
【図１】
0005696031.tif 000002
【図２】
0005696031.tif 000003
【図３】
0005696031.tif 000004
【図４】
0005696031.tif 000005
【図５】
0005696031.tif 000006
【図６】
0005696031.tif 000007